(57)【要約】    【課題】  歩行困難者の日常生活上の移動に当たって介護労力を経済的に低減する。    【解決手段】  車輪付き台１上に固定枠１１を取り付け、固定枠に座板１２と可動枠１６を取り付け、可動枠を座板後側に配置し、可動枠に背板１８を取り付け、固定枠前側に足板２１を取り付け、水平な座板、背板と足板を寝台に横付け可能にして寝台上の歩行困難者ｈを背板、座板と足板の上に仰向けに移す構成にし、可動枠を起き上がり可能に、足板を垂れ下げ可能にし、可動枠を椅子の背もたれ位置に起こすと、足板が垂れ下り、椅子の形態になって歩行困難者が座板に腰掛けた姿態になる構成にし、椅子の形態に維持した車輪付き台を移動可能にし、座板を便座に取り替え可能にし、車輪付き台の後面から座板下側に亘って便器挿入用空所を設け、車輪付き台が便器をまたいて便座を便器の上に位置させる構成にし、座板と背板をシャワー用に取り替え可能にした多用途移動台。【選択図】  図５
0003136438.tif 000002
【実用新案登録請求の範囲】
【請求項１】
車輪付き台の上に固定枠を水平に前後方向に沿って取り付け、固定枠に座板を取り付け、固定枠に可動枠を水平に前後方向に沿って取り付け、可動枠を座板の後側に配置し、可動枠に背板を取り付け、背板を座板とほぼ同じ高さにし、固定枠の前側に足板を水平に取り付け、足板を座板とほぼ同じ高さにし、座板、背板と足板を寝台に横付け可能にして寝台上の歩行困難者を背板、座板と足板の上に仰向けに移す構成にし、
可動枠を上前側に起き上がり可能にし、足板を下後側に垂れ下げ可能にし、可動枠と足板を連結し、可動枠を椅子の背もたれ位置に起こすと、足板が垂れ下り、椅子の形態になって背板、座板と足板の上の歩行困難者が座板に腰掛けた姿態になる構成にし、可動枠を椅子の背もたれ位置に保持して椅子の形態を維持する機構を設け、背板、座板と足板を椅子の形態に維持した状態で車輪付き台を移動可能にし、
固定枠に取り付けた座板を、便が通過する便座に取り替え可能にし、車輪付き台の後面から座板下側位置に亘って便器挿入用空所を設け、車輪付き台が便器をまたいて便座を便器の上に位置させる構成にし、
固定枠に取り付けた座板と、可動枠に取り付けた背板を、それぞれ、シャワー用の座板、背板に取り替え可能にしていることを特徴とする歩行困難者用の多用途移動台。
【考案の詳細な説明】
【技術分野】
【０００１】
本考案は、歩行困難者が日常生活上必要とする移動に用いる移動台に関する。
【背景技術】
【０００２】
歩行困難者は、通常、寝台に横たえている。食事時には、食卓の前側に移動する。散歩時には、屋内又は屋外の散歩路を移動する。排便時には、便所に移動し、便器の上側に位置する。入浴時には、浴室に移動し、シャワーヘッドの前側又は浴槽の中に位置する。歩行困難者のこれらの移動を助けて介護者の労力を低減するため、車椅子や昇降装置などの各種の介護補助装置が考案されている。
【０００３】
特許文献１に開示の技術は、入浴時と排便時に用いる手押し車である。特許文献２の技術は、車椅子に変身する寝台である。
【０００４】
【特許文献１】実開平７−３３２号公報
【特許文献２】実開平７−４３５８４号公報
【考案の開示】
【考案が解決しようとする課題】
【０００５】
寝台上の歩行困難者が日常生活上必要とする移動は、食卓への移動、散歩路上の移動、便器への移動と、シャワーヘッドへの移動である。これらの全ての移動に用いられる移動装置が望まれる。ところが、特許文献１と２の技術は、これらの全ての移動に用いるのには適していない。
【０００６】
寝台上の歩行困難者の食卓への移動、散歩路上の移動、便器への移動と、シャワーヘッドへの移動に用いられる多用途移動台があれば、介護労力を経済的に低減することができる。
【課題を解決するための手段】
【０００７】
歩行困難者用の多用途移動台は、車輪付き台の上に固定枠を水平に前後方向に沿って取り付け、固定枠に座板を取り付け、固定枠に可動枠を水平に前後方向に沿って取り付け、可動枠を座板の後側に配置し、可動枠に背板を取り付け、背板を座板とほぼ同じ高さにし、固定枠の前側に足板を水平に取り付け、足板を座板とほぼ同じ高さにし、座板、背板と足板を寝台に横付け可能にして寝台上の歩行困難者を背板、座板と足板の上に仰向けに移す構成にし、
可動枠を上前側に起き上がり可能にし、足板を下後側に垂れ下げ可能にし、可動枠と足板を連結し、可動枠を椅子の背もたれ位置に起こすと、足板が垂れ下り、椅子の形態になって背板、座板と足板の上の歩行困難者が座板に腰掛けた姿態になる構成にし、可動枠を椅子の背もたれ位置に保持して椅子の形態を維持する機構を設け、背板、座板と足板を椅子の形態に維持した状態で車輪付き台を移動可能にし、
固定枠に取り付けた座板を、便が通過する便座に取り替え可能にし、車輪付き台の後面から座板下側位置に亘って便器挿入用空所を設け、車輪付き台が便器をまたいて便座を便器の上に位置させる構成にし、
固定枠に取り付けた座板と、可動枠に取り付けた背板を、それぞれ、シャワー用の座板、背板に取り替え可能にしている。
【０００８】
この多用途移動台を用いるときには、寝台上の歩行困難者は、寝台に横付けした水平状態の背板、座板と足板の上に仰向けに移す。次に、可動枠を椅子の背もたれ位置に起こして歩行困難者を座板に腰掛けた姿態にし、椅子の形態を維持する。歩行困難者が座板に腰掛けた車輪付き台は、食卓、散歩路、便器、又は、シャワーヘッドに移動する。
便器へ移動するときには、予め、座板を便座に取り替える。シャワーヘッドへ移動するときには、予め、座板と背板をシャワー用の座板、背板に取り替える。
【考案の効果】
【０００９】
多用途移動台は、寝台上の歩行困難者の食卓への移動、散歩路上の移動、便器への移動と、シャワーヘッドへの移動に用いられる。介護労力を経済的に低減することができる。
【考案を実施するための最良の形態】
【００１０】
実施形態の多用途移動台は、水平にした状態を図１〜図３と図５に、椅子の形態にした状態を図４と図６に示す。
【００１１】
多用途移動台は、車輪付き台１をアルミ合金の棒材で構成している。車輪付き台１は、２本の横棒２を前後方向に沿って配置し、左右に並列している。左右の両横棒２は、前端から後側に寄った位置に横材３を左右方向に沿って掛け渡して固定している。左右の両横棒２の下には、それぞれ、前端と後端に車輪４を取り付けている。両横棒２の上には、それぞれ、横材３の固定位置と後端位置に支柱５、６を立てている。後側の左右の支柱６は、上端に梁７を左右方向に沿って掛け渡して固定している。
【００１２】
前後左右の４本の支柱５、６の上には、長方形状の固定枠１１を前後方向に沿って水平に固定している。固定枠１１は、左右の側材と前側材を有し、後側材に梁７を兼用している。左右の側材と前側材は、アルミ合金の山形材にし、山形の入り隅の溝を固定枠１１の上内側に配置している。固定枠１１には、長方形状の座板１２を上から嵌め込んで取外し可能に取り付けている。座板１２は、前後方向が固定枠１１より短く、固定枠１１の前側に寄せている。また、座板１２は、硬質板の上に弾性緩衝板を積層している。この座板１２は、寝台ｄとほぼ同じ高さにしている。
【００１３】
固定枠１１の後部には、可動枠１６の前部を嵌め込んでいる。固定枠１１の左右の側材には、軸１７を左右方向に沿って貫通して取り付け、軸１７に可動枠１６の前端を貫通している。長方形状の可動枠１６は、座板１２の後側位置に前後方向に沿って水平に取り付け、後部を固定枠１１の後方に突出している。この可動枠１６は、軸１７を中心として上前側に起き上がり可能にしている。
【００１４】
可動枠１６は、左右の側材と前後の側材を有している。前側材は、アルミ合金の平板材にしている。左右の側材と後側材は、アルミ合金の山形材にし、山形の入り隅の溝を可動枠１６の上内側に配置している。可動枠１６には、長方形状の背板１８を上から嵌め込んで取外し可能に取り付けている。背板１８は、硬質板の上に弾性緩衝板を積層している。この背板１８は、座板１２とほぼ同じ高さにしている。
【００１５】
固定枠１１の前側には、長方形状の足板２１を丁番２２で取り付けている。足板２１は、水平位置から下後側に垂れ下げ可能にしている。水平位置の足板２１は、座板１２とほぼ同じ高さにしている。
【００１６】
可動枠１６は、前部の下に連結片２６を突出し、連結片２６の下端に連結棒２７の後端を回転可能に連結している。足板２１は、後部の下に連結片２８を突出し、連結片２８の下端に連結棒２７の前端を回転可能に連結している。可動枠１６と足板２１は、連結している。可動枠１６を椅子の背もたれ位置に起こすと、足板２１が垂れ下り、椅子の形態になる。
【００１７】
可動枠１６を椅子の背もたれ位置に保持して椅子の形態を維持する機構を設けている。可動枠１６は、裏面側に軸３１を左右方向に沿って配置して回転可能に取り付けている。軸３１は、両端にそれぞれ支持棒３２を回転可能に取り付けている。固定枠１１は、左右の側材にそれぞれ切り欠きの係り止め部３３を形成している。可動枠１６を椅子の背もたれ位置に起こし、左右の支持棒３２の下端を左右の係り止め部３３に差し込むと、背もたれ位置の可動枠１６が後側から支えられる。また、軸３１は、両端にそれぞれ折り曲げ棒状の肘掛部材３４を取り付けている。肘掛部材３４は、端に係り止め凸部３５を設けている。固定枠１１は、左右の側材の外側にそれぞれ係り止め凹部３６を設けている。背もたれ位置の可動枠１６を支持棒３２で支えた後、左右の肘掛部材３４を軸３１の周りに回転して椅子の肘掛位置に配置し、左右の肘掛部材３４の係り止め凸部３５を固定枠１１の左右の係り止め凹部３６に嵌め込むと、可動枠１６が前側から支えられる。可動枠１６は、支持棒３２と肘掛部材３４で背もたれ位置に保持される。
【００１８】
なお、可動枠１６は、裏面側に、介護者が掴むハンドル３７を取り付けている。
【００１９】
この多用途移動台に寝台ｄ上の歩行困難者ｈを移すときには、多用途移動台は、図１〜図３に示すように、可動枠１６と足板２１を水平状態にし、肘掛部材３４を可動枠１６の下に配置し、寝台ｄに横付けする。寝台ｄ上の歩行困難者ｈは、寝台ｄの側部から多用途移動台の上に横転し、図５に示すように、可動枠１６内の背板１８、座板１２と足板２１の上に仰向けに移す。歩行困難者ｈは、頭部と背中を背板１８に、臀部を座板１２に、脚部を足板２１に載せる。
【００２０】
次に、図６に示すように、可動枠１６を椅子の背もたれ位置に起こし、支持棒３２の下端を係り止め部３３に差し込み、肘掛部材３４を椅子の肘掛位置に配置し、係り止め凸部３５を係り止め凹部３６に嵌め込む。すると、可動枠１６が椅子の背もたれ位置に保持されて椅子の形態が維持される。歩行困難者ｈは、座板１２に腰掛けた姿態になる。
【００２１】
歩行困難者ｈが座板１２に腰掛けた多用途移動台は、押して移動し、食事室、散歩路、便所や浴室などへ向かう。食事時には、多用途移動台は、図７に示すように、食事室の食卓ｔの前側に移動する。散歩時には、歩行困難者ｈが腰掛けた多用途移動台は、屋内又は屋外の散歩路を移動する。
【００２２】
排便時には、多用途移動台は、歩行困難者ｈを載せる前に、固定枠１１内の座板１２を、便が通過する孔を設けた便座４１に取り替える。この多用途移動台は、歩行困難者ｈが座板１２に腰掛けた状態で便所に移動する。そして、多用途移動台は、便器ｂの前側位置から後退させ、図８に示すように、床面上の便器ｂをまたいて便座４１を便器ｂの上に位置させる。この多用途移動台は、車輪付き台１の後面から座板１２又は便座４１の下側位置に亘って門形断面形状にし、便器ｂを挿入する空所を設けている。
【００２３】
入浴時には、多用途移動台は、歩行困難者ｈを載せる前に、固定枠１１内の座板１２と可動枠１６内の背板１８を、それぞれ、シャワーの湯水で変質しない耐水性のあるシャワー用の座板４２、背板４３に取り替える。それらには、簾の子板が例示される。この多用途移動台は、歩行困難者ｈがシャワー用の座板４２、背板４３に腰掛けた状態で浴室に移動する。そして、多用途移動台は、図９に示すように、浴室のシャワーヘッドｓの前側に位置させる。
【図面の簡単な説明】
【００２４】
【図１】本考案の実施形態における歩行困難者用多用途移動台の側面図。
【図２】同多用途移動台の平面図。
【図３】図１のＡ−Ａ線断面図。
【図４】同多用途移動台を椅子の形態にした状態の側面図。
【図５】図３のＢ−Ｂ線断面、縦断側面の図であり、歩行困難者を仰向けに載せた状態の図。
【図６】同多用途移動台を椅子の形態にして歩行困難者を腰掛け姿態にした状態の縦断側面図。
【図７】歩行困難者を腰掛け姿態にして食卓に移動した状態の縦断側面図。
【図８】歩行困難者を腰掛け姿態にして便器に移動した状態の縦断側面図。
【図９】歩行困難者を腰掛け姿態にして浴室のシャワーヘッドに移動した状態の縦断側面図。
【符号の説明】
【００２５】
１  車輪付き台
２  左右の横棒
３  横材
４  前後左右の車輪
５  前側の左右の支柱
６  後側の左右の支柱
７  梁
１１  固定枠
１２  座板
１６  可動枠
１７  軸
１８  背板
２１  足板
２２  丁番
２６  可動枠の連結片
２７  連結棒
２８  足板の連結片
３１  軸
３２  支持棒
３３  固定枠の切り欠きの係り止め部
３４  肘掛部材
３５  肘掛部材の係り止め凸部
３６  固定枠の係り止め凹部
３７  ハンドル
４１  便座
４２  シャワー用の座板
４３  シャワー用の背板
ｄ  寝台
ｈ  歩行困難者
ｔ  食卓
ｂ  便器
ｓ  シャワーヘッド
【図１】
0003136438.tif 000003
【図２】
0003136438.tif 000004
【図３】
0003136438.tif 000005
【図４】
0003136438.tif 000006
【図５】
0003136438.tif 000007
【図６】
0003136438.tif 000008
【図７】
0003136438.tif 000009
【図８】
0003136438.tif 000010
【図９】
0003136438.tif 000011